(57)【要約】【課題】水の浸入に伴う故障のおそれを低減することができる携帯電子機器を提供すること。【解決手段】複数の動作状態それぞれに対応する複数の閾値を記憶する記憶部２５０と、複数の動作状態に含まれる一の動作状態を取得する動作状態取得部２１２と、一の動作状態に対応して電流値を測定する電流測定部２６０と、電流測定部２６０により測定された電流値が一の動作状態に対応して記憶部２５０に記憶された閾値よりも大きいか否かを判定する電流判定部２２２と、電流判定部２２２により電流値が閾値よりも大きいと判定された場合に所定の動作を行う所定動作部２２３、２２４と、を備える。【選択図】図３
2010154366.tif 000002
【特許請求の範囲】
【請求項１】
複数の動作状態それぞれに対応する複数の閾値を記憶する記憶部と、
前記複数の動作状態に含まれる一の動作状態を取得する動作状態取得部と、
前記一の動作状態に対応して電流値を測定する電流測定部と、
前記電流測定部により測定された前記電流値が、前記一の動作状態に対応して前記記憶部に記憶された前記閾値よりも大きいか否かを判定する電流判定部と、
前記電流判定部により前記電流値が前記閾値よりも大きいと判定された場合に所定の動作を行う所定動作部と、
を備える携帯電子機器。
【請求項２】
前記動作状態取得部は、前記複数の動作状態に含まれる一の動作状態が開始されると当該一の動作状態を取得する請求項１に記載の携帯電子機器。
【請求項３】
前記所定動作部は、情報のバックアップを推奨する旨の報知、所定の情報の記憶、及び通信回線を介する所定の宛先への前記所定の情報の送信のうちの少なくとも一つ又は全部の動作を行うことにより、前記所定の動作を行う請求項１又は２に記載の携帯電子機器。
【請求項４】
前記記億部は、前記複数の動作状態それぞれに対応する複数の電流測定箇所を記億し、
前記電流測定部は、前記一の動作状態に対応して前記記憶部に記億された前記電流測定箇所における前記電流値を測定する請求項１から３のいずれかに記載の携帯電子機器。
【発明の詳細な説明】
【技術分野】
【０００１】
本発明は、携帯電話機などの携帯電子機器に関する。
【背景技術】
【０００２】
近年、防水機能を有する携帯電話機が開発されており、防水機能は、携帯電話機において重要な機能の一つとして注目されている。従来の防水水技術としては、例えば、筐体における充電池の蓋の部分やコネクタの部分における隙間などをパッキンなどにより塞いだり、マイクやイヤホンの部分を防水透湿性の膜で覆ったりして水をガードすることにより、防水性を確保する技術がある（例えば、下記特許文献１参照）。
【０００３】
【特許文献１】特開２００４−２９７６２９号公報
【発明の開示】
【発明が解決しようとする課題】
【０００４】
しかし、パッキンを用いる場合には、隙間が確実に塞がれていなければ、水の浸入を許してしまう。また、防水透湿性の膜は気体を通してしまうので、湿気（水蒸気）に関しては浸入を防止できない。このように、携帯電子機器の使用状況によっては、防水機能を有する携帯電話機であっても、携帯電話機の筐体の内部に、水（液体）や湿気が浸入してしまい、携帯電子機器が故障してしまうおそれがある。
【０００５】
従って、本発明は、水の浸入に伴う故障のおそれを低減することができる携帯電子機器を提供することを目的とする。
【課題を解決するための手段】
【０００６】
本発明は、複数の動作状態それぞれに対応する複数の閾値を記憶する記憶部と、前記複数の動作状態に含まれる一の動作状態を取得する動作状態取得部と、前記一の動作状態に対応して電流値を測定する電流測定部と、前記電流測定部により測定された前記電流値が、前記一の動作状態に対応して前記記憶部に記憶された前記閾値よりも大きいか否かを判定する電流判定部と、前記電流判定部により前記電流値が前記閾値よりも大きいと判定された場合に所定の動作を行う所定動作部と、を備える携帯電子機器に関する。
【０００７】
また、前記動作状態取得部は、前記複数の動作状態に含まれる一の動作状態が開始されると当該一の動作状態を取得することが好ましい。
【０００８】
また、前記所定動作部は、情報のバックアップを推奨する旨の報知、所定の情報の記憶、及び通信回線を介する所定の宛先への前記所定の情報の送信のうちの少なくとも一つ又は全部の動作を行うことにより、前記所定の動作を行うことが好ましい。
【０００９】
また、前記記億部は、前記複数の動作状態それぞれに対応する複数の電流測定箇所を記億し、前記電流測定部は、前記一の動作状態に対応して前記記憶部に記億された前記電流測定箇所における前記電流値を測定することが好ましい。
【発明の効果】
【００１０】
本発明によれば、水の浸入に伴う故障のおそれを低減することができる携帯電子機器を提供することができる。
【発明を実施するための最良の形態】
【００１１】
以下、本発明を実施するための最良の形態について、図面を参照しながら説明する。本実施形態は、本発明を、防水機能を有する携帯電話機に適用した実施形態である。図１は、本発明の一実施形態の携帯電話機１を開いた状態で示す正面斜視図である。図２は、図１に示す携帯電話機１の機能ブロック図である。図３は、図２に示す機能ブロック図の詳細を示す図である。
【００１２】
図１に示すように、本実施形態の携帯電話機１は、操作部側筐体２と表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、連結部４を介して連結された操作部側筐体２と表示部側筐体３とを相対的に動かすことが可能となる。
【００１３】
つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体２，３が互いに重なるように配置された状態（図示せず）であり、開状態とは、両筐体２，３が互いに重ならないように配置された状態（図１及び図３参照）をいう。
【００１４】
操作部側筐体２は、その外面がフロントケース２ａとリアケース２ｂとから構成される。操作部側筐体２は、フロントケース２ａ側に、操作キー群１１と、携帯電話機１の使用者が通話時に発した音声が入力される音声入力部（マイク）１２とがそれぞれ露出するように構成される。
【００１５】
操作部側筐体２の内部には、カメラ部２３（図１には図示せず）が内蔵されている。操作部側筐体２の上端部には、ＴＶアンテナ２２が出没自在に設けられる。ＴＶアンテナ２２は、地上デジタル放送としてのいわゆるワンセグ放送の電波を受信するためのアンテナである。
【００１６】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とから構成される。
【００１７】
操作キー群１１を構成する各キーそれぞれには、操作部側筐体２と表示部側筐体３との開閉状態や各種モード、あるいは、起動されているアプリケーション等の種類に応じて所定の機能が割り当てられる（キー・アサイン）。そして、使用者が各キーを押圧することにより、各キーに割り当てられている機能に応じた動作が実行される。
【００１８】
音声入力部１２は、操作部側筐体２の長手方向における連結部４側と反対の外端部側に配置される。つまり、音声入力部１２は、携帯電話機１が開状態において一方の外端部側に配置される。
【００１９】
表示部側筐体３は、その外面がフロントケース３ａとリアケース３ｂとにより構成される。表示部側筐体３のフロントケース３ａ側には、撮像画像等を含む各種情報を表示するための表示部３１と、通話の相手側の音声を出力する音声出力部３２とが露出するように配置される。また、表示部側筐体３は、着信音、メッセージ等を出力するスピーカ２３４（図２参照。図１には図示せず）を備えている。
【００２０】
表示部３１は、液晶パネルと、この液晶パネルを駆動する駆動回路と、この液晶パネルの背面側から光を照射するバックライトなどの光源部とを備えて構成される。
【００２１】
つぎに、図２及び図３に示す機能ブロック図を参照しながら、携帯電話機１の各機能について説明する。図２に示すように、携帯電話機１は、基地局３１０との間で通信を行う通信部１００と、放送波を受信する放送波受信部１５０と、所定の処理を行う処理部２００と、を備えている。
【００２２】
携帯電話機１は、複数の動作状態を有している。動作状態としては、例えば、待ち受け画面状態、カメラ起動状態、ワンセグ起動状態がある。待ち受け画面状態は、携帯電話機１は起動しているが、通話、メール、カメラ、ＴＶなどの機能を使用していない状態であり、一般に最も消費電力量が少ない状態である。カメラ起動状態は、後述するカメラ部２４０（カメラアプリ）が起動した状態である。ワンセグ起動状態は、後述する放送波処理部１５１（ワンセグアプリ）が起動した状態である。
【００２３】
通信部１００の構成及び動作について説明する。通信部１００は、メインアンテナ部１０１と、通信処理部１０２と、を備える。
メインアンテナ部１０１は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局３１０を介して他の通信端末装置との間で電話による通信やメールによる通信等を行う。また、後で詳述するように、メインアンテナ部１０１は、基地局３１０及び通信回線３２０を介して外部サーバ３３０の間で情報（例えば、後述するバックアップ情報）の通信等を行う。
メインアンテナ部１０１は、例えば、所定の使用周波数帯（例えば、８００ＭＨｚ）で基地局３１０と通信を行う。なお、使用周波数帯は、８００ＭＨｚ以外の周波数帯であってもよい。また、メインアンテナ部１０１は、複数の使用周波数帯に対応できるように構成されていてもよい。
【００２４】
通信処理部１０２は、送信処理を行う送信回路と受信処理を行う受信回路とにより構成される。通信処理部１０２は、メインアンテナ部１０１によって受信した信号を受信回路により復調処理し、処理後の信号を処理部２００に供給する。また、通信処理部１０２は、処理部２００から供給された信号を送信回路により変調処理し、メインアンテナ部１０１を介して基地局に送信する。
【００２５】
放送波受信部１５０の構成及び動作について説明する。放送波受信部１５０は、放送波受信用のＴＶアンテナ２２と、ＴＶアンテナ２２により受信した信号に対して所定の処理を行う放送波処理部１５１と、を備える。
図３に示すように、放送波処理部１５１は、ＴＶアンテナ２２により受信した放送波を処理するチューナ部１５２と、コプロセッサとしてのデコーダ部１５３と、所定の情報を処理部２００に通知する受信部通知部１５４と、を備える。
【００２６】
チューナ部１５２は、所定方式により変調・圧縮処理されたデジタル放送信号を受信し、受信したデジタル放送信号に基づいて、放送局が送り出したＴＳ（Ｔｒａｎｓｐｏｒｔ  Ｓｔｒｅａｍ）パケットの復元処理を行う。
【００２７】
デコーダ部１５３は、放送波処理部１５１におけるコプロセッサとして機能するもので、チューナ部１５２による所定の処理が行われた後のデジタル放送信号を復号処理する。具体的には、デコーダ部１５３は、映像ＴＳパケットから映像信号をデコードする。デコードされた映像信号は、処理部２００の表示部３１に送信され、映像として表示される。なお、放送波処理部１５１は、音声ＴＳパケットのデコード処理を行う音声デコード処理部も有している。
【００２８】
受信部通知部１５４は、チューナ部１５２によるデジタル放送信号の受信が開始されると、デジタル放送信号の受信が開始された旨を表す放送信号受信開始情報を生成し、生成した放送信号受信開始情報を処理部２００に通知する。また、受信部通知部１５４は、デコーダ部１５３によるデコード処理が開始されると、デコード処理が開始された旨を表すデコード処理開始情報を生成し、生成したデコード処理開始情報を処理部２００に通知する。
【００２９】
処理部２００の構成及び動作について説明する。図２に示すように、処理部２００は、操作キー群１１と、音声入力部１２と、表示部３１と、音声出力部３２と、所定の音処理を行う音処理部２３１と、所定の画像処理を行う画像処理部２３２と、着信音、メッセージ等が出力されるスピーカ２３４と、カメラ部２４０と、電流測定部２６０と、種々の情報が記憶されている記憶部２５０と、電源電圧監視部２１０と、を備えている。なお、操作キー群１１、音声入力部１２、表示部３１及び音声出力部３２については、前述してある。
【００３０】
カメラ部２４０は、被写体を撮像する部位であり、図３に示すように、自動焦点（オートフォーカス：「ＡＦ」ともいう）機能を実現するＡＦ部２４１と、カメラ部通知部２４２とを備える。カメラ部通知部２４２は、カメラ部２４０が起動すると、カメラ部２４０が起動した旨を表すカメラ部起動情報を生成し、生成したカメラ部起動情報を処理部２００に通知する。また、カメラ部通知部２４２は、ＡＦ部２４１が起動すると、ＡＦ部２４１が起動した旨を表すＡＦ部起動情報を生成し、生成したＡＦ部起動情報を処理部２００に通知する。
【００３１】
図３に示すように、記憶部２５０は、動作状態テーブル２５３と、測定箇所テーブル２５１と、閾値テーブル２５２とを備える。
動作状態テーブル２５３には、複数の動作状態それぞれに対応する複数の電源電圧値の情報が収納（記憶）されている。動作状態によって消費電流が変わり、動作状態に対応する電源電圧値が変わるので、複数の動作状態それぞれに対応する複数の電源電圧値を設定することができる。
【００３２】
測定箇所テーブル２５１には、複数の動作状態それぞれに対応する複数の電流測定箇所Ｐの情報が収納（記憶）されている。動作状態によってエレクトロマイグレーションが発生しやすい箇所（つまり、電流値を測定すべき箇所）が変わるので、複数の動作状態それぞれに対応する複数の電流測定箇所Ｐを設定する。なお、電流測定箇所Ｐは１箇所であってもよい（例えば電源部付近）。
閾値テーブル２５２には、複数の動作状態それぞれに対応する複数の閾値の情報が収納（記憶）されている。動作状態によって適切な閾値が変わるので、複数の動作状態それぞれに対応する複数の閾値を設定する。
【００３３】
電流測定部２６０は、一の動作状態に対応して記憶部２５０に記憶された電流測定箇所Ｐにおける電流値を測定する。電流測定部２６０は、測定された電流値の情報を処理部２００に通知する。
【００３４】
電源電圧監視部２１０について説明する。電源電圧監視部２１０は、電源電圧値を測定して監視する部位であり、図３に示すように、監視処理部２１１と、動作状態取得部２１２と、測定箇所取得部２１３と、閾値取得部２１４と、使用状態取得部２１５と、電流値取得部２２１と、電流判定部２２２と、所定動作部としての報知処理部２２３と、所定動作部としてのバックアップ処理部２２４と、を備える。
【００３５】
監視処理部２１１は、現在の電源電圧値を監視し、その電源電圧値に基づいて各種処理を行う。例えば、監視処理部２１１は、消費電力の大きいモジュールを複数起動したこと等により電源電圧値の低下が検出された場合には、電源電圧値を昇圧して補正する。
【００３６】
動作状態取得部２１２は、携帯電話機１における複数の動作状態に含まれる一の動作状態、すなわち、各モジュールの動作状態を取得する。
【００３７】
例えば、動作状態取得部２１２は、カメラ部２４０のカメラ部通知部２４２から出力されたカメラ部起動情報を受信することにより、カメラ部２４０の動作状態（起動／停止）を取得する。また、動作状態取得部２１２は、カメラ部２４０のＡＦ部２４１から出力されたＡＦ部起動情報を受信することにより、ＡＦ部２４１の動作状態（起動／停止）を取得する。
【００３８】
また、動作状態取得部２１２は、放送波処理部１５１のチューナ部１５２から出力されたチューナ部起動情報を受信することにより、チューナ部１５２の動作状態（起動／停止）を取得する。また、動作状態取得部２１２は、放送波処理部１５１のデコーダ部１５３から出力されたデコーダ部起動情報を受信することにより、チューナ部１５２の動作状態（起動／停止）を取得する。
【００３９】
このように、動作状態取得部２１２は、複数の動作状態に含まれる一の動作状態が開始されると当該一の動作状態を取得することができる。なお、動作状態取得部２１２は、どのモジュールからも起動状態が確認されなかった場合に、携帯電話機１が待ち受け状態であることを取得する。
【００４０】
測定箇所取得部２１３は、記憶部２５０の測定箇所テーブル２５１を参照して、現在の動作状態に対応する電流測定箇所Ｐの情報を取得する。
【００４１】
閾値取得部２１４は、記憶部２５０の閾値テーブル２５２を参照して、現在の動作状態に対応する電流値の閾値の情報を取得する。
【００４２】
電流値取得部２２１は、電流測定部２６０により測定され且つ電流測定部２６０から通知される電流値を取得する。
【００４３】
電流判定部２２２は、電流測定部２６０により測定された電流値が、現在の動作状態に対応する電流値の閾値よりも大きいか否かを判定する。
【００４４】
報知処理部（所定動作部）２２３は、電流判定部２２２により電流値が閾値よりも大きいと判定された場合に、所定の報知内容を報知させる。報知内容は、例えば、携帯電話機１が現在保持する情報のバックアップを推奨する旨である（詳細は後述）。
【００４５】
バックアップ処理部（所定動作部）２２４は、電流判定部２２２により電流値が閾値よりも大きいと判定された場合に、通信回線３２０を介して所定の情報（例えば、バックアップ情報）を所定の宛先（例えば、外部サーバ３３０）に送信する。
【００４６】
次に、本実施形態の携帯電話機１の一使用態様について、図４及び図５を参照しながら説明する。図４は、図１に示す携帯電話機１における動作を示すフローチャートである。図５は、携帯電話機の表示部３１に表示される報知内容の一例を示す図である。本使用態様については、待ち受け画面状態、カメラ起動状態及びワンセグ起動状態に着目して説明を行う。
【００４７】
図４に示すように、携帯電話機１が起動すると、所定のタイミングで電源電圧監視部２１０のタスクが開始される。
電源電圧監視部２１０のタスクが開始されると、監視処理部２１１は、携帯電話機１における電源電圧値について、周期的な監視（測定を含む）を開始する（ステップＳ１１０）。電源電圧値の監視は、所定の間隔（例えば、５００ｍｓ）ごとに行われる。
【００４８】
ステップＳ１２０において、動作状態取得部２１２は、携帯電話機１における複数の動作状態に含まれる一の動作状態、すなわち、各モジュールの動作状態を取得する。
以下、待ち受け画面状態、カメラアプリ起動状態及びワンセグアプリ起動状態の３種類の動作状態それぞれについて、携帯電話機１の動作を説明する。
【００４９】
＜待ち受け画面状態＞
まず、待ち受け画面状態における携帯電話機１の動作について説明する。
動作状態取得部２１２は、記憶部２５０の動作状態テーブル２５３を参照して、携帯電話機１の動作状態を取得する。ここでは、携帯電話機１の「待ち受け画面状態」が取得されたものとする（ステップＳ１２０）。
【００５０】
ステップＳ１３０において、測定箇所取得部２１３は、記憶部２５０の測定箇所テーブル２５１を参照して、「待ち受け画面状態」に対応する電流測定箇所Ｐの情報を取得する。
【００５１】
ステップＳ１４０において、閾値取得部２１４は、記憶部２５０の閾値テーブル２５２を参照して、「待ち受け画面状態」に対応する閾値の情報を取得する。
【００５２】
ここでは、動作状態は「待ち受け画面状態」である（ステップＳ１６１）。
従って、以下には、待ち受け画面状態に対応する処理が行われる。
ステップＳ２１１において、電流測定部２６０は、「待ち受け画面状態」に対応する電流測定箇所Ｐにおける電流値を測定する。そして、電流値取得部２２１は、電流測定部２６０により測定された電流値を取得する。
【００５３】
ステップＳ２２１において、電流判定部２２２は、電流測定部２６０により測定された電流値が、「待ち受け画面状態」に対応する閾値よりも大きいか否かを判定する。
電流測定部２６０により測定された電流値が「待ち受け画面状態」に対応する閾値よりも大きい場合（ＹＥＳ）には、絶縁不良の虞がある状態であるため、バックアップを推奨する旨の表示を行う処理であるステップＳ２３０に進む。
【００５４】
ステップＳ２３０において、報知処理部２２３は、所定の報知内容を報知させる。報知内容は、例えば、図５に示すように、携帯電話機１が現在保持する情報のバックアップを推奨する旨である。
【００５５】
使用者によりバックアップをすることが選択（決定）された場合には、ステップＳ２４０において、バックアップ処理部２２４は、通信回線３２０を介して所定の情報を所定の宛先に送信する。詳細には、バックアップ処理部２２４は、現在保持する情報のうちバックアップすべき情報を、基地局３１０及び通信回線３２０を介して、外部サーバ３３０に送信する。外部サーバ３３０に送信された情報は、サーバメモリ３３１に記憶（バックアップ）される。
このように、ステップＳ２４０が行われて、電源電圧監視部２１０のタスクが完了する。
【００５６】
一方、電流測定部２６０により測定された電流値が「待ち受け画面状態」に対応する閾値以下の場合（ＮＯ）には、電源電圧値の監視を行う処理であるステップＳ１１０に戻る。このようにして、電源電圧監視部２１０のタスクが継続する。
【００５７】
＜カメラ起動状態＞
次に、カメラ起動状態における携帯電話機１の動作について説明する。
本実施形態においては、カメラ部２４０のカメラ部通知部２４２からカメラ起動情報を通知させて、カメラ部２４０の起動／停止の判定を確実に且つ速やかに行う。
カメラ部２４０の起動は、カメラアプリ（カメラ部２４０を制御するアプリケーション）の起動を伴って行われる。
【００５８】
具体的には、カメラ部２４０が起動すると、カメラ部通知部２４２は、カメラ部２４０が起動した旨を表すカメラ部起動情報を生成し、生成したカメラ部起動情報を処理部２００に通知する（ステップＳ３１２）。
また、ＡＦ部２４１が起動すると、カメラ部通知部２４２は、ＡＦ部２４１が起動した旨を表すＡＦ部起動情報を生成し、生成したＡＦ部起動情報を処理部２００に通知する（ステップＳ３２２）。ここで、カメラ部起動情報とは別にＡＦ部起動情報を通知するのは、ＡＦ部２４１が起動すると、対応する電流測定箇所Ｐ及び電流値の閾値が変わり、電流測定箇所Ｐ及び電流値を再設定する必要があるためである。
【００５９】
ステップＳ１２０において、カメラ部通知部２４２からカメラ部起動情報が処理部２００に通知されると、動作状態取得部２１２は、携帯電話機１の動作状態が「カメラ起動状態」（カメラ部２４０が起動した状態）であると判定する。
同様に、ステップＳ１２０において、カメラ部通知部２４２からＡＦ部起動情報が処理部２００に通知されると、動作状態取得部２１２は、携帯電話機１の動作状態が「カメラ起動状態（ＡＦ起動状態）」（カメラ部２４０のＡＦ部２４１が起動した状態）であると判定する。
【００６０】
ステップＳ１３０において、測定箇所取得部２１３は、記憶部２５０の測定箇所テーブル２５１を参照して、「カメラ起動状態」又は「カメラ起動状態（ＡＦ起動状態）」に対応する電流測定箇所Ｐの情報を取得する。
【００６１】
ステップＳ１４０において、閾値取得部２１４は、記憶部２５０の閾値テーブル２５２を参照して、「カメラ起動状態」又は「カメラ起動状態（ＡＦ起動状態）」に対応する閾値の情報を取得する。
【００６２】
ここでは、動作状態は「カメラ起動状態」である（ステップＳ１６２）。
従って、以下には、カメラ起動状態に対応する処理が行われる。
ステップＳ２１２において、電流測定部２６０は、「カメラ起動状態」又は「カメラ起動状態（ＡＦ起動状態）」に対応する電流測定箇所Ｐにおける電流値を測定する。そして、電流値取得部２２１は、電流測定部２６０により測定された電流値を取得する。
【００６３】
ステップＳ２２２において、電流判定部２２２は、電流測定部２６０により測定された電流値が、「カメラ起動状態」又は「カメラ起動状態（ＡＦ起動状態）」に対応する閾値よりも大きいか否かを判定する。
電流値の判定後の処理は、待ち受け画面状態における電流値の判定後の処理と同様であるため、説明を省略する。
【００６４】
＜ワンセグ起動状態＞
次に、ワンセグ起動状態における携帯電話機１の動作について説明する。
本実施形態においては、放送波処理部１５１の受信部通知部１５４からワンセグ起動情報を通知させて、放送波処理部１５１の起動／停止の判定を確実に且つ速やかに行う。
放送波処理部１５１の起動は、ワンセグアプリ（放送波処理部１５１を制御するアプリケーション）の起動を伴って行われる。
【００６５】
具体的には、放送波処理部１５１のチューナ部１５２が起動すると、受信部通知部１５４は、放送波処理部１５１のチューナ部１５２が起動した旨を表すチューナ部起動情報を生成し、生成したチューナ部起動情報を処理部２００に通知する（ステップＳ３１３）。
また、デコーダ部１５３が起動すると、受信部通知部１５４は、デコーダ部１５３が起動した旨を表すデコーダ部起動情報を生成し、生成したデコーダ部起動情報を処理部２００に通知する（ステップＳ３２３）。ここで、チューナ部起動情報とは別にデコーダ部起動情報を通知するのは、ＡＦ部２４１が起動すると、対応する電流測定箇所Ｐ及び電流値の閾値が変わり、電流測定箇所Ｐ及び電流値を再設定する必要があるためである。
【００６６】
ステップＳ１２０において、受信部通知部１５４からチューナ部起動情報が処理部２００に通知されると、動作状態取得部２１２は、携帯電話機１の動作状態が「ワンセグ起動状態（チューナ部起動状態）」であると判定する。
同様に、ステップＳ１２０において、受信部通知部１５４からデコーダ部起動情報が処理部２００に通知されると、動作状態取得部２１２は、携帯電話機１の動作状態が「ワンセグ起動状態（デコーダ部起動状態）」であると判定する。
【００６７】
ステップＳ１３０において、測定箇所取得部２１３は、記憶部２５０の測定箇所テーブル２５１を参照して、「ワンセグ起動状態（チューナ部起動状態）」又は「ワンセグ起動状態（デコーダ部起動状態）」に対応する測定箇所の情報を取得する。
【００６８】
ステップＳ１４０において、閾値取得部２１４は、記憶部２５０の閾値テーブル２５２を参照して、「ワンセグ起動状態（チューナ部起動状態）」又は「ワンセグ起動状態（デコーダ部起動状態）」に対応する閾値の情報を取得する。
【００６９】
ここでは、動作状態は「ワンセグ起動状態」である（ステップＳ１６３）。
ステップＳ２１３において、電流測定部２６０は、「ワンセグ起動状態（チューナ部起動状態）」又は「ワンセグ起動状態（デコーダ部起動状態）」に対応する電流測定箇所Ｐにおける電流値を測定する。そして、電流値取得部２２１は、電流測定部２６０により測定された電流値を取得する。
【００７０】
ステップＳ２２３において、電流判定部２２２は、電流測定部２６０により測定された電流値が、「ワンセグ起動状態（チューナ部起動状態）」又は「ワンセグ起動状態（デコーダ部起動状態）」に対応する閾値よりも大きいか否かを判定する。
電流値の判定後の処理は、待ち受け画面状態における電流値の判定後の処理と同様であるため、説明を省略する。
【００７１】
本実施形態によれば、例えば、以下の効果が奏される。
本実施形態においては、動作状態を取得する動作状態取得部２１２と、動作状態に対応する電流測定箇所Ｐにおける電流値を測定する電流測定部２６０と、電流測定部２６０により測定された電流値が動作状態に対応する閾値よりも大きいか否かを判定する電流判定部２２２と、電流判定部２２２により電流値が閾値よりも大きいと判定された場合に所定の報知内容を報知させる報知処理部２２３と、を備える。そのため、絶縁不良などを的確に検出することができる。
【００７２】
特に、単に電流値を監視するだけでは的確に検出することが困難なエレクトロマイグレーションに起因する絶縁不良の検出に効果的である。エレクトロマイグレーションの検出が困難な理由は、次の通りである。
ここで、エレクトロマイグレーションとは、配線、電極などの電気伝導体の中で移動する電子と金属原子の間で運動量の交換が行われるために、電気伝導体の金属イオンが時間の経過と共に徐々に移動することで、金属イオンが欠乏した部分において電気伝導体の形状に欠損が生じ、電気抵抗の増大や断線などを招く現象である。エレクトロマイグレーションは、電流密度が高く，温度が高い場合に、その進行が早まり、特に，高い電流密度で使用される集積回路などで問題となる。
【００７３】
腐食が進行すると、一般的には、腐食が進行する箇所において電流値が増加する。しかし、電流値の大小のみでは一概には判断できない。例えば、電流値が小さいときにエレクトロマイグレーションが進行することもある。電流値が大きいときのみエレクトロマイグレーションが進行することもある。エレクトロマイグレーションは、端子間などの絶縁不良が徐々に進行する現象なので、腐食が進行する箇所において予測が不可能な症状が出ることもある。待ち受け画面状態などの定常時（消費電流が少ない状態のとき）には電流がほとんど流れない回路にエレクトロマイグレーションが進行している場合には、モジュール（デバイス）の起動した状態でないと、電流値の増加を検出できない場合もある。
【００７４】
また、本実施形態においては、携帯電話機１が故障した場合に、その故障がエレクトロマイグレーションを含む腐食が原因であること、及び腐食が進行した箇所の特定を容易に確認することができるので、故障の修理が容易となる。なお、故障に係る動作状態については、例えば、携帯電話機１における不揮発性メモリ（内蔵メモリ、外部メモリ）に保存すればよい。
【００７５】
また、本実施形態においては、動作状態取得部２１２は、複数の動作状態に含まれる一の動作状態が開始されると当該一の動作状態を取得する。そのため、動作状態が開始される度に、電流判定部２２２により電流値が判定され、報知処理部２２３により報知処理が行われる。このように、継続的に報知処理が行われることで、使用者が携帯電話機１の故障に関する情報をより適切に知ることができる。
【００７６】
また、本実施形態においては、前記報知内容は、携帯電話機１が現在保持する情報のバックアップを推奨する旨であるため、使用者は、速やかにバックアップの処理を行うことができる。
【００７７】
また、本実施形態においては、携帯電話機１は、バックアップ処理部２２４を備えるため、電流判定部２２２により電流値が閾値よりも大きいと判定された場合に、通信回線３２０を介して所定の情報を所定の宛先に送信することができる。従って、使用者は、特段の対応をしなくても情報のバックアップを容易に行うことができる。
【００７８】
なお、動作状態取得部２１２は、電源電圧値を測定して監視する電源電圧監視部２１０から構成され、電源電圧監視部２１０により測定される電源電圧値に基づいて現在の動作状態を取得してもよい。携帯電話機においては、電源電圧値を測定して監視する電源電圧監視部を備えることは一般的である。従って、携帯電話機１について大きな仕様変更をしなくても、本発明の構成を実現することができる。
【００７９】
以上、本発明の実施形態について説明したが、本発明は上述した実施形態に制限されるものではない。
例えば、前述の実施形態においては、電源電圧の監視を行うことで、「待ち受け画面状態」の動作状態を取得しているが、これに制限されず、電源電圧の監視を行うことで、他の動作状態を取得することもできる。
【００８０】
前述の実施形態においては、カメラ部２４０（カメラアプリ）又は放送波処理部１５１（ワンセグアプリ）の起動情報を通知することで、それぞれ「カメラ起動状態」又は「ワンセグ起動状態」の動作状態を取得しているが、これに制限されず、その他のモジュールの起動情報を通知することで、動作状態を取得することもできる。
【００８１】
前記実施形態においては、「バックアップを推奨する旨の報知内容」を表示部３１に表示して視覚的に報知しているが、これに制限されない。「バックアップを推奨する旨の報知内容」は、その旨の音声や警告音などにより報知することもできる。
報知内容は、バックアップに関する内容に制限されず、例えば、携帯電話機１の修理や買い換えを推奨する旨でもよい。
【００８２】
前述の実施形態においては、情報を外部サーバ３３０に送信してバックアップを行っているが、これに制限されず、情報を、外部サーバ３３０に送信すると共に、あるいは外部サーバ３３０に送信するのに代えて、携帯電話機１の記憶部２５０に記憶させてもよい。また、情報を、携帯電話機１に対して着脱自在な外部メモリや他の携帯電話機に記憶させてもよい。更に、これらの動作を、「バックアップを推奨する旨の報知内容」を表示部３１に表示する代わりに行ってもよい。所定動作部による所定の動作の態様は、本発明では限定されない。
【００８３】
また、前記実施形態は、いわゆる折り畳み型の携帯電話機であるが、本発明はこれに限定されない。本発明に係る携帯電話機の形態としては、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）等であってもよい。
【００８４】
また、前記実施形態は、本発明を携帯電話機に適用したものであるが、本発明はこれに限定されるものではない。本発明の携帯電子機器は、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコンに適用することができる。
【図面の簡単な説明】
【００８５】
【図１】本発明の一実施形態の携帯電話機１を開いた状態で示す正面斜視図である。
【図２】図１に示す携帯電話機１の機能ブロック図である。
【図３】図２に示す機能ブロック図の詳細を示す図である。
【図４】図１に示す携帯電話機１における動作を示すフローチャートである。
【図５】携帯電話機の表示部３１に表示される報知内容の一例を示す図である。
【符号の説明】
【００８６】
１  携帯電話機（携帯電子機器）
２１０  電源電圧監視部
２１２  動作状態取得部
２２２  電流判定部
２２３  報知処理部（所定動作部）
２２４  バックアップ処理部（所定動作部）
２５０  記憶部
２６０  電流測定部
３２０  通信回線
３３０  外部サーバ（所定の宛先）
Ｐ  電流測定箇所
【図１】
2010154366.tif 000003
【図２】
2010154366.tif 000004
【図３】
2010154366.tif 000005
【図４】
2010154366.tif 000006
【図５】
2010154366.tif 000007